(57)【要約】【課題】画像センサ等を用いることなく、簡単かつ安価な構成で、一旦停止の標識が出現する裏通り等を走行する場合や、渋滞等の場合には、走行中のアイドルストップが働かないようにしてエンジンの不要な停止、再始動を行なわないようにする。【解決手段】制御処理部７の走行状態判断手段により、所定速度以上の走行状態が所定時間以上継続するか否かを判断する。このとき、継続しなければ一旦停止の標識が繰り返し出現する裏通りや田舎道などの走行中や渋滞中等である。そして、制御処理部７のアイドルストップ許可手段により、走行状態判断手段の継続の判断に基づいて走行中のアイドルストップを許可し、走行状態判断手段が継続しないと判断したときは走行中のアイドルストップを禁止し、一旦停止の標識が出現する裏通り等を走行する場合や、渋滞等の場合には、走行中のアイドルストップが働かないようにしてエンジンの不要な停止、再始動を行なわないようにする。【選択図】図１
2011202638.tif 000002
【特許請求の範囲】
【請求項１】
所定条件が成立する減速走行中にエンジンを停止する走行中のアイドルストップの機能を備えたアイドルストップ制御装置であって、
所定速度以上の走行状態が所定時間以上継続するか否かを判断する走行状態判断手段と、
前記走行状態判断手段の継続の判断により前記走行中のアイドルストップを許可するアイドルストップ許可手段とを備えたことを特徴とするアイドルストップ制御装置。
【発明の詳細な説明】
【技術分野】
【０００１】
本発明は、所定条件が成立する減速走行中にエンジンを停止する走行中のアイドルストップの機能を備えたアイドルストップ制御装置に関し、詳しくは、走行中のアイドルストップによるエンジンの不要な停止、再始動の防止に関する。
【背景技術】
【０００２】
従来、車両のアイドルストップ制御装置は、ブレーキペダルが踏み込まれて車両の走行が完全に停止することを条件としてアイドルストップの制御を行なう。具体的には、車両の走行が完全に停止すると、その停止中にブレーキ液圧が第１基準液圧（エンジン停止判定液圧）以上になることにより、エンジンを停止してアイドルストップに制御する。この場合、アイドルストップ中にブレーキペダルの踏み込みが緩められて前記第１基準液圧より低い第２基準液圧（エンジン始動判定液圧）を下回ると、エンジンが始動されてアイドルストップは終了する（例えば、特許文献１（段落［００２３］−［００３５］、図１、図３等）参照）。
【０００３】
ところで、信号機は設置されていないが一旦停止の標識が出現する裏通りや田舎道などを走行する場合や、渋滞等の場合には、一旦停止の標識が出現したり、先行車が停止等する毎にアイドルストップが働くと、その都度、走行を停止してエンジンが停止してから、エンジンを再始動して再び走行することになるので、煩わしく、ドライバに不快感を与え、また、停止することによって後続車との衝突の可能性も生じる。
【０００４】
そこで、一旦停止の標識が出現する裏通りや田舎道などを走行する場合に関しては、ＣＣＤカメラ等の画像センサを備え、その撮影画像から一旦停止の標識の地点等を認識し、そのような地点ではアイドルストップを行なわないようにすることが提案されている（例えば、特許文献２（段落［００１４］−［００２０］、［００４８］−［００４９］、図１等）参照）。
【先行技術文献】
【特許文献】
【０００５】
【特許文献１】特開平１１−２７０３７８号公報
【特許文献２】特開２００１−５００７６号公報
【発明の概要】
【発明が解決しようとする課題】
【０００６】
前記特許文献１に記載のアイドルストップ制御装置は、ブレーキペダルが踏み込まれて車両の走行が完全に停止することを条件としてアイドルストップに制御している。
【０００７】
一方、最近のアイドルストップ制御装置においては、燃費向上等を図るため、ブレーキペダルが踏み込まれて車速が所定値以下になり、かつ、ブレーキ液圧やブレーキペダルの踏み込み量で代表されるブレーキ度合いが所定値以上になることを所定条件とし、この所定条件が成立する減速走行中にエンジンを停止する、走行中のアイドルストップの機能を備え、車両の走行が完全に停止することを条件とする従来からのアイドルストップに優先して走行中のアイドルストップを行なうことが考えられている。
【０００８】
図４は上記の走行中のアイドルストップと車速等との関係を示し、実線ａが車速、実線ｂがエンジンの回転数である。そして、アイドルストップを行なうため、時刻ｔ１にブレーキペダルの踏み込みが開始され、時刻ｔ２に前記所定条件を満足すると、走行中の時刻ｔ３にエンジンが停止し、アイドルストップの状態になる。そして、時刻ｔ４に車速が０になって走行が停止する。
【０００９】
このとき、直ちに走行を再開するため、走行停止後の時刻ｔ５にブレーキペダルの踏み込みが緩められると、エンジンが再始動されて走行が再開される。なお、破線ｃは走行停止後にエンジンを停止するアイドルストップが働く場合を示し、この場合は、例えば時刻ｔ７にエンジンが停止するので、その後にエンジンの再始動が可能になる。
【００１０】
そして、走行中のアイドルストップが働く場合にも、前記した一旦停止の標識が出現する裏通りや田舎道などを走行する場合や、渋滞等の場合には、エンジンを一旦停止して再始動するので、煩わしく、ドライバに不快感を与え、さらに、エンジンを再始動するまで車速が低下して後続車との衝突の可能性も生じる。
【００１１】
ところで、走行停止後にアイドルストップが働く場合、走行停止後、図４の所定期間τの経過を待ってからエンジンを停止することが考えられる。この場合、所定期間τ内にはエンジンが停止しないのでエンジンを再始動することなく、速やかに走行を開始できる。反面、停止期間τにもエンジンが回転し続けるので燃費の面で効率が悪い。
【００１２】
一方、走行中のアイドルストップが働く場合、走行が停止したときには既にエンジンが停止しているので、所定期間τを設けて上記のようにエンジンの再始動を行なわないようにすることはできない。
【００１３】
そこで、走行中のアイドルストップが働く場合は、前記特許文献２に記載のアイドルストップ制御装置のように、画像センサを備え、その撮影画像から一旦停止の標識等を認識し、一旦停止の標識がある地点ではアイドルストップが働かないようにしてエンジンの停止、再始動を行なわないようにすることが考えられるが、この場合は、高価な画像センサ（カメラ）が必要であり、処理が複雑になるとともに高価になる。
【００１４】
本発明は、画像センサ等を用いることなく、簡単かつ安価な構成で、一旦停止の標識が出現する裏通り等を走行する場合や、渋滞等の場合には、走行中のアイドルストップが働かないようにしてエンジンの不要な停止、再始動を行なわないようにすることを目的とする。
【課題を解決するための手段】
【００１５】
上記した目的を達成するために、本発明のアイドルストップ制御装置は、所定条件が成立する減速走行中にエンジンを停止する走行中のアイドルストップの機能を備えたアイドルストップ制御装置であって、所定速度以上の走行状態が所定時間以上継続するか否かを判断する走行状態判断手段と、前記走行状態判断手段の前記継続の判断により前記走行中のアイドルストップを許可するアイドルストップ許可手段とを備えたことを特徴としている（請求項１）。
【発明の効果】
【００１６】
請求項１に係る本発明のアイドルストップ制御装置の場合、裏通りや田舎道などの走行中や、渋滞で断続的に進むような場合には、一旦停止の標識の出現や先行車の停止等により、その都度、ブレーキペダルが踏みこまれて車速が低下することに着目し、走行状態判断手段により、所定速度以上の走行状態が所定時間以上継続するか否かを判断する。このとき、そのような走行状態が継続すれば一旦停止の標識が出現しない幹線道や高速道等を渋滞等なくスムーズに走行しているときであり、継続しなければ、一旦停止の標識が繰り返し出現する裏通りや田舎道などの走行中や渋滞中等である。
【００１７】
そして、アイドルストップ許可手段により、走行状態判断手段の継続の判断に基づいて走行中のアイドルストップを許可し、走行状態判断手段が継続しないと判断したときは走行中のアイドルストップを禁止する。
【００１８】
したがって、画像センサ等を用いることなく、簡単かつ安価な構成で、一旦停止の標識が出現する裏通り等を走行する場合や、渋滞等の場合には、走行中のアイドルストップが働かないようにしてエンジンの不要な停止、再始動を行なわないようにすることができる。
【図面の簡単な説明】
【００１９】
【図１】本発明の一実施形態のアイドルストップ制御装置の一部のブロック図である。
【図２】図１の動作を説明するための異なる車速例の波形図である。
【図３】図１の動作説明用のフローチャートである。
【図４】走行中のアイドルストップを説明するための車速、ブレーキ液圧の一例の波形図である。
【発明を実施するための形態】
【００２０】
つぎに、本発明をより詳細に説明するため、一実施形態について、図１〜図３を参照して詳述する。なお、以下の説明においては、アイドルストップを「ＩＤＳ」と称し、走行中のＩＤＳを「減速時ＩＤＳ」と称する。
【００２１】
図１は車両１に搭載された本実施形態のＩＤＳ制御装置のエンジン制御の要部を示し、図１において、２は車速を検出する車速センサ、３はブレーキ機構（図示せず）のブレーキ液圧（具体的にはマスタシリンダのブレーキ液圧）を検出するブレーキ液圧センサ、４はストップランプ（図示せず）の点灯中にオンするストップランプスイッチ、５はエンジン（図示せず）の回転数を検出するエンジン回転数センサ、６はハンドルの操舵量を検出する舵角センサである。
【００２２】
７はマイクロコンピュータ等からなるＥＣＵ構成の制御処理部であり、時計部７１を内蔵し、予め設定されたＩＤＳ制御の各種プログラムを実行して本発明の走行状態判断手段、ＩＤＳ許可手段等を形成し、スタータ８を介してエンジンの始動を制御する。また、Ｅ／Ｇ（エンジン）ＥＣＵ９を介してエンジンを停止する。
【００２３】
なお、スタータ８は、「タンデムソレノイドスタータ」と呼ばれる、モータとピニオンを独立制御可能な構造の周知のスタータであり、このスタータ８を用いると、エンジンの停止制御中（回転中）にもエンジンの再始動が可能となり、始動のタイムラグを少なくできる利点がある。
【００２４】
制御処理部７の走行状態判断手段は、（１）所定速度（例えば、４０ｋｍ／ｈ）Ｖａ以上の走行状態が所定時間（例えば、１０秒）Ｔａ以上継続することを減速時ＩＤＳ許可条件とし、車速センサ２が検出する車速Ｖｘと、時計部７１のクロックとに基づき、所定速度Ｖａ以上の走行状態が所定時間Ｔａ以上継続するか否かを判断する。
【００２５】
一旦停止の標識が出現しない幹線道や高速道等の走行中には、所定速度Ｖａ以上の走行状態が所定時間Ｔａ以上継続し、一旦停止の標識が繰り返し出現する裏通りや田舎道などでは、その都度ブレーキペダルが踏み込まれて減速し、所定速度Ｖａ以上の走行状態が所定時間Ｔａ以上継続することが少ないからである。
【００２６】
図２は上記減速時ＩＤＳの許可条件と車速Ｖｘとの関係を示し、実線ｄは所定速度Ｖａ
であり、実線ｅは所定速度Ｖａ以上の走行状態が所定時間Ｔａ以上継続する車速Ｖｘの例であり、実線ｆは所定速度Ｖａ以上の走行状態が所定時間Ｔａ継続しない車速Ｖｘの例である。
【００２７】
ところで、本実施形態の場合、走行状態をさらに詳しく分類し、減速時ＩＤＳを許可するだけなく、禁止する判断も行なうため、走行状態判断手段には、つぎの（２）〜（５）の減速時ＩＤＳ禁止条件（取消条件）も設定される。
【００２８】
（２）後述する前回停止直後始動を検知してから所定時間（例えば１分）Ｔｂ以上経過している。
【００２９】
なお、前回停止直後始動とは、停止からエンジンの再始動までの時間が所定値（例えば２秒）Ｔｃ以下と短いエンジンの再始動である。
【００３０】
そして、走行状態判断手段は、車速Ｖｘから走行停止を検出し、エンジン回転数センサ５の回転数からエンジンの始動（再始動）、停止を検出し、さらに、走行停止からエンジンの再始動までの時間を時計部７１のクロックで計時する。そして、走行状態判断手段は、計時した時間が所定値（例えば２秒）Ｔｃ以下であれば、そのような瞬時の走行停止後のエンジンの再始動からの経過時間を時計部７１のクロックで計時して所定時間Ｔｂ以上経過したか否かを検知する。そのような瞬時の走行の停止は本来は停止したくない一旦停止の標識の地点等で発生し、そのようなときは減速時ＩＤＳは禁止すべきだからである。
【００３１】
（３）車速Ｖｘが所定速度（例えば３０ｋｍ／ｈ）Ｖｂ以下で舵角センサ６の操舵角θｘが所定値（例えば９０°）θａ以上になった。
【００３２】
このとき、右折や左折が行なわれて車両１の走行路が変わったので、減速時ＩＤＳが許可されていれば、その許可を一旦取り消し、走行停止後のＩＤＳだけを行なうようにすることが、不要なエンジンの停止や再始動が発生せず、好ましいからである。
【００３３】
（４）前回停止から所定時間（例えば５分）Ｔｄ以上、走行停止を検知していない。
【００３４】
幹線路等の走行中は、通常、交通信号機が１〜２分以内で現れ、その時間間隔で車両１は走行と停止を繰り返す。そのため、車速Ｖｘが５分以上０にならず、車両１が停止しない場合は、高速道路や自動車専用道路等の信号機が少ない道路の走行中である。このような場合、減速時ＩＤＳが許可されていれば、その許可を一旦取り消し、従来と同じ走行停止後のＩＤＳを行なうようにすることが、不要なエンジンの停止や再始動が発生せず、好ましいからである。
【００３５】
（５）エンジンが停止した。
【００３６】
エンジン回転数センサ５のエンジン回転数から、エンジンの停止を検出したときは、減速時ＩＤＳ禁止の初期状態に戻し、従来と同じ走行停止後のＩＤＳを行なうようにすることが、不要なエンジンの停止や再始動が発生せず、好ましいからである。
【００３７】
制御処理部７のＩＤＳ許可手段は、前記（１）の減速時ＩＤＳ許可条件が成立し、所定速度Ｖａ以上の走行状態が所定時間Ｔａ以上継続すると走行状態判断手段が判断したときに、その判断に基づいて、例えば、減速時ＩＤＳの許可フラグをオン（セット）する。また、前記（２）〜（５）のいずれかの減速時ＩＤＳ禁止条件が成立したときに、走行状態判断手段の判断に基づいて、前記減速時ＩＤＳの許可フラグをオフ（リセット）する。
【００３８】
ところで、制御処理部７は、減速時ＩＤＳの主制御手段により、例えば、車速Ｖｘがしきい値車速（数ｋｍ／ｈ）Ｖα以下（Ｖｘ≦Ｖα）に低下し、かつ、ブレーキ液圧センサ３のブレーキ液圧Ｐｘが十分なブレーキ力のしきい値圧Ｐα以上（Ｐｘ≧Ｐα）になること、すなわち、「Ｖｘ≦ＶαかつＰｘ≧Ｐα」の所定条件が成立することにより、減速時ＩＤＳの制御を実行し、Ｅ／ＧＥＣＵ９を介してエンジンに与える停止指令を発生する。なお、前記所定条件は、ストップランプの点灯も加え、「Ｖｘ≦ＶαかつＰｘ≧Ｐαかつストップランプスイッチ４のオン（点灯）」であってもよい。
【００３９】
そして、ＩＤＳ許可手段の前記減速時ＩＤＳの許可フラグは、減速時ＩＤＳを実行する際の追加の条件フラグであり、前記減速時ＩＤＳの許可フラグがセットされていれば、主制御手段の前記停止指令によるエンジンの停止が行なわれて減速時ＩＤＳが実行される。一方、前記減速時ＩＤＳの許可フラグがリセットされているときは、主制御手段の前記停止指令によるエンジンの停止が行なわれず、減速時ＩＤＳは実行されない。
【００４０】
なお、減速時ＩＤＳが実行されない場合、ＩＤＳがドライバの操作で解除されない限り、制御処理部７は、ブレーキペダルが踏み込まれて車両１の走行が完全に停止することを条件としてＩＤＳの制御を実行する。
【００４１】
図３は制御処理部７の走行状態判断手段、ＩＤＳ許可手段による減速時ＩＤＳの許可、禁止の処理手順例を示し、まず、減速時ＩＤＳの禁止中（減速時ＩＤＳの許可フラグがリセット）か否かを判断し（ステップＳ１）、禁止中であれば、ステップＳ１をＹＥＳで通過する。そして、前記（１）の減速時ＩＤＳの許可条件の成立を判断するため、Ｖｘ≧Ｖａか否かを判断し（ステップＳ２）、Ｖｘ≧Ｖａであれば、ステップＳ２をＹＥＳで通過し、その状態がＴａ以上継続しているか否かを判断し（ステップＳ３）、継続していれば、減速時ＩＤＳ許可条件が成立するので、ステップＳ３をＹＥＳで通過し、許可フラグをセットして減速時ＩＤＳを許可する（ステップＳ４）。なお、ステップＳ２、Ｓ３において、Ｖｘ≧Ｖａ、Ｖｘ≧Ｖａそれぞれでなければ、ステップＳ２、Ｓ３をＮＯで通過してステップＳ１に戻る。
【００４２】
ステップＳ１において、減速時ＩＤＳの禁止中でなければ（減速時ＩＤＳの許可フラグがセットされている）、ステップＳ１をＮＯで通過する。そして、前記（２）〜（５）の減速時ＩＤＳの禁止条件の成立を、例えば（４）、（３）、（２）、（５）の順に判断するため、まず、前回停止からＴｄ以上、走行停止を検知しないで経過しているか否かを判断する（ステップＳ５）、経過していなければステップＳ５をＮＯで通過し、Ｖｘ≦Ｖｂかつθｘ≧θａか否かを判断する（ステップＳ６）、Ｖｘ≦Ｖｂ、かつ、θｘ≧θａでなければステップＳ６をＮＯで通過し、前回停止直後始動を検知してからＴｂ以上経過したか否かを判断し（ステップＳ７）、経過していなければステップＳ７をＮＯで通過し、エンジンが停止したか否かを判断し（ステップＳ８）、停止していなければステップＳ８をＮＯで通過してステップＳ１に戻る。
【００４３】
一方、ステップＳ５〜Ｓ８のいずれかの条件が成立すると、ステップＳ５〜Ｓ８のいずれかをＹＥＳで通過し、許可フラグをリセットして減速時ＩＤＳを禁止する（ステップＳ９）。
【００４４】
したがって、前記実施形態の場合、一旦停止の標識が繰り返し出現する裏通りや田舎道などを走行する場合や、渋滞等の場合には、一旦停止の標識が出現する毎、あるいは、先行車が停止等する毎に、プレーキペダルが多少は踏み込まれて減速し、Ｖｘ≧Ｖａの走行が所定時間Ｔａ継続することがないことから、減速時ＩＤＳが許可されず、画像センサ等を用いることなく、簡単かつ安価な構成で、減速時ＩＤＳが働かないようにしてエンジンの不要な停止、再始動を行なわないようにすることができ、エンジン停止を繰り返す不快感を取り除き、減速時ＩＤＳによる燃費向上の利点を得ることが可能となる。
【００４５】
また、減速時ＩＤＳが許可されていても、前記（２）〜（５）の条件の成立に基づいてさらに適切に減速時ＩＤＳが禁止されるので、エンジンの不要な停止、再始動を一層適切に行なわないようにすることができる。
【００４６】
そして、本発明は上記した実施形態に限定されるものではなく、その趣旨を逸脱しない限りにおいて上述したもの以外に種々の変更を行なうことが可能であり、例えば、少なくとも前記（１）の減速時ＩＤＳ許可条件が成立するか否かを判断すればよく、前記（２）〜（５）の減速時ＩＤＳ禁止条件（取消条件）が成立するか否かの判断は一部または全部を省いてもよい。逆に、減速時ＩＤＳ許可条件、減速時ＩＤＳ禁止条件（取消条件）として前記（１）〜（５）と異なる条件を追加してもよい。
【００４７】
また、制御処理部７の構成および処理手順等は、前記実施形態の構成および処理手順等に限るものではない。
【００４８】
さらに、所定速度Ｖａ，Ｖｂ、所定時間Ｔａ、Ｔｂ、Ｔｄ、所定値Ｔｃ，θａ等は、実験等に基づいて、適当に設定してよいのは勿論である。
【００４９】
そして、本発明は、種々の車両のアイドルストップ制御装置に適用できる。
【符号の説明】
【００５０】
１    自車
７    制御処理部
【図１】
2011202638.tif 000003
【図２】
2011202638.tif 000004
【図３】
2011202638.tif 000005
【図４】
2011202638.tif 000006